(57)【要約】【課題】アプリケーションの実行中に得た情報を容易に確認することを目的とする。【解決手段】ノートＰＣ１は、第１筐体２と第２筐体３とを備え、第１筐体２に対して第２筐体３が開閉可能に連結された構成とされている。ノートＰＣ１は、第２筐体３に設けられたメインディスプレイ８と、第１筐体２において第２筐体３の端部側に沿って設けられたサブディスプレイ１０とを備えている。ノートＰＣ１は、アプリケーションの実行中に得た情報を履歴情報としてサブディスプレイ１０に表示する表示制御部を備えている。【選択図】図１
2020140472.tif 000002
【特許請求の範囲】
【請求項１】
第１筐体と第２筐体とを備え、前記第１筐体に対して前記第２筐体が開閉可能に連結された情報処理装置であって、
前記第２筐体に設けられたメインディスプレイと、
前記第１筐体において前記第２筐体の端部側に沿って設けられたサブディスプレイと、
アプリケーションの実行中に得た情報を履歴情報として前記サブディスプレイに表示する表示制御部と
を具備する情報処理装置。
【請求項２】
前記アプリケーションは文書作成に関するアプリケーションであり、
前記表示制御部は、前記アプリケーションの実行中に得た情報として作成した文章を前記履歴情報として前記サブディスプレイに表示する請求項１に記載の情報処理装置。
【請求項３】
前記アプリケーションの実行中に保存指示が入力された場合に、作成した前記文章を保存するための履歴保存部を備え、前記表示制御部は、保存された前記文章を前記履歴情報として前記サブディスプレイに表示する請求項２に記載の情報処理装置。
【請求項４】
前記履歴保存部には、複数の前記文章が前記履歴情報として保存され、
前記表示制御部は、前記履歴保存部に保存されている複数の前記文章を前記履歴情報として整列させて前記サブディスプレイに表示する請求項３に記載の情報処理装置。
【請求項５】
前記表示制御部は、前記サブディスプレイに表示された履歴情報が選択された場合に、選択された前記履歴情報の内容を作成中の文書に入力情報として反映させる請求項２から４のいずれかに記載の情報処理装置。
【請求項６】
前記サブディスプレイに表示された履歴情報が選択された場合に、選択された前記履歴情報を入力情報として実行中の前記アプリケーションに反映させる請求項１から５のいずれかに記載の情報処理装置。
【請求項７】
前記アプリケーションは数値計算に関するアプリケーションであり、
前記履歴情報は、前記数値計算に関するアプリケーションの実行中に得られた過去の計算結果である請求項１に記載の情報処理装置。
【請求項８】
前記サブディスプレイに履歴情報として表示された過去の計算結果が選択された場合に、選択された前記過去の計算結果を計算式に変数として反映させる請求項７に記載の情報処理装置。
【請求項９】
ディスプレイと、
アプリケーションの実行中に得た情報を履歴情報として前記ディスプレイに表示する表示制御部と
を備え、
複数の前記履歴情報のうちのいずれかが選択された場合に、選択された前記履歴情報を入力情報として実行中の前記アプリケーションに反映させる情報処理装置。
【請求項１０】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置の制御方法であって、
アプリケーションの実行中に得た情報を履歴情報として前記サブディスプレイに表示する情報処理装置の制御方法。
【請求項１１】
アプリケーションの実行中に得た情報を履歴情報としてディスプレイに表示する工程と、
複数の前記履歴情報のうちのいずれかが選択された場合に、選択された前記履歴情報を入力情報として実行中の前記アプリケーションに反映させる工程と
をコンピュータが実行する情報処理装置の制御方法。
【請求項１２】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置に適用されるプログラムであって、
アプリケーションの実行中に得た情報を履歴情報として前記サブディスプレイに表示する処理をコンピュータに実行させるためのプログラム。
【請求項１３】
アプリケーションの実行中に得た情報を履歴情報としてディスプレイに表示する処理と、
複数の前記履歴情報のうちのいずれかが選択された場合に、選択された前記履歴情報を入力情報として実行中の前記アプリケーションに反映させる処理と
をコンピュータに実行させるためのプログラム。
【発明の詳細な説明】
【技術分野】
【０００１】
本発明は、情報処理装置及びその制御方法並びにプログラムに関するものである。
【背景技術】
【０００２】
一般的に、デスクトップ型ＰＣやノート型ＰＣ等の情報処理装置には、電卓のアプリケーションソフトウェアが搭載されている。
ノート型ＰＣ等の情報処理装置において電卓のアプリケーションを使用する場合、テンキーやキーボードに設けられている数値キーを用いて、または、ディスプレイに表示された電卓のウィンドウに表示された数値キーをマウスなどで選択しながら計算式を入力する。そして、演算実行を指示する入力操作を行うと、入力された計算式に基づく演算が実行され、演算結果がウィンドウに表示されることとなる。
【発明の概要】
【発明が解決しようとする課題】
【０００３】
このようにしてディスプレイに表示された演算結果は、一般的に、次の計算式をユーザが入力し始めると消去される。しかしながら、一度得た演算結果を再び確認したい場合や再び計算式に使用したい場合がある。
また、上述のように、一度得た情報を後になって確認したり、再利用したいといった要望は、電卓などの数値演算に関するアプリケーションに限られるものではない。
【０００４】
本発明は、このような事情に鑑みてなされたものであって、アプリケーションの実行中に得た情報を容易に確認することのできる情報処理装置及びその制御方法並びにプログラムを提供することを目的とする。
【課題を解決するための手段】
【０００５】
本発明の第一態様は、第１筐体と第２筐体とを備え、前記第１筐体に対して前記第２筐体が開閉可能に連結された情報処理装置であって、前記第２筐体に設けられたメインディスプレイと、前記第１筐体において前記第２筐体の端部側に沿って設けられたサブディスプレイと、アプリケーションの実行中に得た情報を履歴情報として前記サブディスプレイに表示する表示制御部とを具備する情報処理装置である。
【０００６】
本発明の第二態様は、ディスプレイと、アプリケーションの実行中に得た情報を履歴情報として前記ディスプレイに表示する表示制御部とを備え、複数の前記履歴情報のうちのいずれかが選択された場合に、選択された前記履歴情報を入力情報として実行中の前記アプリケーションに反映させる情報処理装置である。
【０００７】
本発明の第三態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置の制御方法であって、アプリケーションの実行中に得た情報を履歴情報として前記サブディスプレイに表示する情報処理装置の制御方法である。
【０００８】
本発明の第四態様は、アプリケーションの実行中に得た情報を履歴情報としてディスプレイに表示する工程と、複数の前記履歴情報のうちのいずれかが選択された場合に、選択された前記履歴情報を入力情報として実行中の前記アプリケーションに反映させる工程とをコンピュータが実行する情報処理装置の制御方法である。
【０００９】
本発明の第五態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置に適用されるプログラムであって、アプリケーションの実行中に得た情報を履歴情報として前記サブディスプレイに表示する処理をコンピュータに実行させるためのプログラムである。
【００１０】
本発明の第六態様は、アプリケーションの実行中に得た情報を履歴情報としてディスプレイに表示する処理と、複数の前記履歴情報のうちのいずれかが選択された場合に、選択された前記履歴情報を入力情報として実行中の前記アプリケーションに反映させる処理とをコンピュータに実行させるためのプログラムである。
【発明の効果】
【００１１】
本発明によれば、アプリケーションの実行中に得た情報を容易に確認することができるという効果を奏する。
【図面の簡単な説明】
【００１２】
【図１】本発明の一実施形態に係るノートＰＣの概略外観図である。
【図２】本発明の一実施形態に係るノートＰＣにおいて、テンキーモードのときにタッチパッドに表示されるキー構成及びキー配列の一例を示した図である。
【図３】本発明の一実施形態に係るノートＰＣのハードウェア構成を概略的に示した図である。
【図４】本発明の一実施形態に係るノートＰＣが備える機能の一部を模式的に示した機能構成図である。
【図５】本発明の一実施形態に係るノートＰＣにおいて、電卓アプリケーションが実行されている場合にサブディスプレイに表示されるウィンドウの一表示例を示した図である。
【図６】本発明の一実施形態に係るノートＰＣにおいて、電卓アプリケーションが実行されている場合にサブディスプレイに表示されるウィンドウの一表示例を示した図である。
【図７】本発明の一実施形態に係るノートＰＣにおいて、電卓アプリケーションが実行されている場合にサブディスプレイに表示されるウィンドウの一表示例を示した図である。
【図８】本発明の一実施形態に係るノートＰＣにおいて、メモ帳アプリケーションが実行されている場合にサブディスプレイに表示されるウィンドウの一表示例を示した図である。
【図９】本発明の一実施形態に係るノートＰＣにおいて、メモ帳アプリケーションが実行されている場合にサブディスプレイに表示されるウィンドウの一表示例を示した図である。
【図１０】本発明の一実施形態に係るノートＰＣにおいて、メモ帳アプリケーションが実行されている場合にサブディスプレイに表示されるウィンドウの一表示例を示した図である。
【発明を実施するための形態】
【００１３】
以下に、本発明の一実施形態に係る情報処理装置及びその制御方法並びにプログラムについて、図面を参照して説明する。以下の実施形態においては、情報処理装置としてノートＰＣを例示して説明するが、本発明の情報処理装置はこの例に限定されない。例えば、情報処理装置は、デスクトップ型ＰＣ、スマートフォン等の携帯電話機、タブレット端末等であってもよい。
【００１４】
図１は、本発明の一実施形態に係るノートＰＣ１の概略外観図である。図１に示すように、ノートＰＣ１は、いずれも略直方体である第１筐体２及び第２筐体３を備える、いわゆるクラムシェル型のパーソナルコンピュータである。第１筐体２及び第２筐体３は、例えば、それぞれの端部またはその近傍において連結部９ａによって連結されている。連結部９ａは、例えば、ヒンジであり、第１筐体２及び第２筐体３を開閉可能に支持している。
【００１５】
第１筐体２には、第２筐体３の端部側に沿ってサブディスプレイ１０が設けられている。サブディスプレイ１０は、例えば、連結部９ｂによって第１筐体２に連結されている。連結部９ｂは、例えば、ヒンジである。サブディスプレイ１０は、閉じた状態で第１筐体２の上面に設けられた収容部１１に収容可能とされ、開いた状態で収容部１１の収容面とサブディスプレイ１０の裏面（表示画面が設けられていない方の面）とのなす角度θが、例えば、２°≦θ２≦４０°の範囲となるように構成されている。
【００１６】
サブディスプレイ１０は、例えば、第１筐体２に対して第２筐体３が開いているときに、第１筐体２に対して開くように構成されている。サブディスプレイ１０は、手動で連結部９ｂ回りに回動するように構成されていてもよい。この場合、連結部９ｂとしては、所定の角度でサブディスプレイ１０を保持できるトルクヒンジなどを好適に用いることができる。また、バネなどの付勢部材を用いてサブディスプレイ１０を上方付勢状態としてもよい。この場合、第２筐体３が閉じられるときに、第２筐体３がサブディスプレイ１０を下方に押圧して収容部１１に収容させることができ、第２筐体３が開かれたときに、第２筐体３に連動して、自動的にサブディスプレイ１０を立ち上げることができる。
【００１７】
第１筐体２には、入力装置４が設けられている。入力装置４は、ユーザが入力操作を行うためのユーザインターフェースである。図１には、入力装置４の一例として、文字、コマンド等を入力する各種キーより構成されるキーボード５及びタッチパッド６が示されている。また、入力装置４は、マウス、トラックポイント、タッチペン等を備えていてもよい。
【００１８】
キーボード５は、第１筐体２の上面において、サブディスプレイ１０を介して第２筐体３とは反対側に設けられている。例えば、キーボード５は、第１筐体２の上面においてほぼ中央部に設けられている。キーボード５は、ソフトウェアキーボードでもよいし、物理キーで構成されていてもよい。
【００１９】
タッチパッド６は、第１筐体２の上面において側部に設けられている。図１では、タッチパッド６は、第１筐体２の上面においてキーボード５の右側に設けられているが、この例に限定されず、キーボード５の左側に設けられていてもよい。
【００２０】
タッチパッド６は、例えば、３Ｄタッチ（スリーディータッチ）を実現するタッチパッド６とされている。例えば、タッチパッド６は、静電容量式、抵抗膜式、又は電磁誘導式のタッチセンサを備え、操作面における入力操作を検知するような構成とされている。さらに、タッチパッド６は、操作面の下面に感圧センサを備えており、感圧センサにより接触面に対する接触圧力が検出可能とされている。圧力を検出する具体的構成は感圧センサに限定されず、他のセンサにより接触面における指等の指示体の接触圧力を検出することとしてもよい。
【００２１】
タッチパッド６は、カーソル操作やクリック操作等を入力するためのタッチパッドとして機能するタッチパッドモードと、数値入力を行うためのテンキーとして機能するテンキーモードとを有している。これらモードの切り替えは、例えば、モード切替を指示する所定の入力操作が行われることにより切り替えられる。例えば、キーボード５において所定のキー操作がなされた場合、あるいは、モード切替用に設けられたモード切替ボタン（図示略）が操作されることによって切り替えられる。また、例えば、数値入力が必要とされるアプリケーション、例えば、電卓や表計算等の数値計算に関するアプリケーションが起動されたときに、自動的にテンキーモードに設定されることとしてもよい。また、音声入力を可能とした情報処理装置であれば、モード切替の所定の音声が入力された場合に、モードを切り替えてもよい。
【００２２】
タッチパッド６の下方には、バックライトが設けられている。テンキーモードのときには、バックライトが点灯することにより、図２に示すように、各数字キー等が視認可能とされ、ユーザにより各キーが押下されることにより、そのキーに応じた入力信号が出力されることとなる。なお、図２に示したキー配列やキー構成は一例であり、この例に限定されない。例えば、電卓等の数値計算に適したキー構成、例えば、演算記号等がより充実したキー構成としてもよい。
【００２３】
第２筐体３には、画像を表示するメインディスプレイ８が設けられている。メインディスプレイ８は、第２筐体３が第１筐体２に対して閉じられた状態で、サブディスプレイ１０と対向する面上に配置されている。
【００２４】
図３は、本実施形態に係るノートＰＣ１のハードウェア構成を概略的に示した図である。ノートＰＣ１は、ＣＰＵ（Central  Processing  Unit）２０、ＲＯＭ（Read  Only  Memory）２１、メモリ２２、フラッシュメモリ２３、グラフィクスアダプタ２４、メインディスプレイ８、サブディスプレイ１０、通信デバイス２５、電源回路２６、入力装置４を備えている。これら各部は、バス２８を介して接続されている。
【００２５】
ＣＰＵ２０は、バス２８を介して接続されたフラッシュメモリ２３に格納されたＯＳ（Operating  System）によりノートＰＣ１全体の制御を行うとともに、フラッシュメモリ２３に格納された各種のプログラムに基づいて処理を実行する。
【００２６】
ＲＯＭ２１は、ＢＩＯＳ（Basic  Input/Output  System：基本入出力システム）や各種データ等を格納している。
メモリ２２は、キャッシュメモリやＲＡＭ（Random  Access  Memory）で構成されている。メモリ２２は、ＣＰＵ２０の実行プログラムの読み込み、及び実行プログラムによる処理データの書き込みを行う作業領域として利用される書き込み可能なメモリである。
【００２７】
フラッシュメモリ２３は、ノートＰＣ１の全体の制御を行うためのマルチウィンドウのＯＳ、周辺機器類をハードウェア操作するための各種ドライバ、ユーティリティプログラム、各種アプリケーションプログラム等を記憶する。なお、ノートＰＣ１は、フラッシュメモリ２３に替わる記憶手段としてＨＤＤ（Hard  Disk  Drive）等、他の記憶手段を備えてもよい。
【００２８】
グラフィクスアダプタ２４は、ＣＰＵ２０の制御に従って、表示情報をビデオ信号に変換し、変換したビデオ信号をメインディスプレイ８やサブディスプレイ１０に出力する。
【００２９】
メインディスプレイ８は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、メインディスプレイ８は、タッチセンサ等の入力検知機能を備えたタッチパネルとして構成されていてもよい。
【００３０】
サブディスプレイ１０は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、サブディスプレイ１０は、タッチセンサ等の入力検知機能を備えたタッチパネルとして構成されていてもよい。さらに、サブディスプレイ１０は、タッチペンによる入力を受け付け可能な構成とされていてもよい。
【００３１】
通信デバイス２５は、他のデバイスとの間との通信を行う。
電源回路２６は、ＡＣアダプタ、電池、電池を充電するための充電器、及びＤＣ／ＤＣコンバータ等を備えており、ＣＰＵ２０の制御に従って、各構成に電力を供給する。
入力装置４を構成するキーボード５やタッチパッド６におけるユーザの入力操作に応じた入力信号は、バス２８を介してＣＰＵ２０に出力される。
図３に示したノートＰＣ１の構成や接続例は一例であり、この例に限定されない。
【００３２】
図４は、本実施形態に係るノートＰＣ１が備える機能の一部を模式的に示した機能構成図である。以下に説明する各種機能を実現するための処理は、プログラムの形式でコンピュータ読み取り可能な記録媒体に記憶されており、このプログラムをＣＰＵ２０等がＲＡＭに読み出して実行することにより、各種機能が実現される。なお、プログラムは、ＲＯＭやフラッシュメモリ２３等の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３３】
図４に示すように、本実施形態に係るノートＰＣ１は、記憶部３１、アプリケーション実行部３２、表示制御部３３を備えている。
【００３４】
記憶部３１には、数値計算に関するアプリケーション、文書作成アプリケーション等の複数のアプリケーションが格納されている。本実施形態においては、数値計算に関するアプリケーションの一例として電卓アプリケーション３１１が、文書作成アプリケーションの一例としてメモ帳アプリケーション３１２が記憶部３１に格納されている。また、記憶部３１は、電卓アプリケーション３１１において算出された演算結果を履歴情報として保存するための履歴保存部３１３、及びメモ帳アプリケーション３１２において作成された文章を履歴情報として保存するための履歴保存部３１４を備えている。
【００３５】
アプリケーション実行部３２は、アプリケーションの起動指示が入力された場合に、起動が指示されたアプリケーションを実行する。
例えば、アプリケーション実行部３２は、電卓アプリケーションの起動指示が入力された場合、電卓アプリケーション３１１を起動させる。また、電卓アプリケーション３１１の起動後においては、アプリケーション実行部３２は、タッチパッド６等の入力装置４からの入力に基づいて電卓アプリケーション３１１を実行し、入力に応じた表示を表示制御部３３を介してサブディスプレイ１０に表示させたり、演算結果等を記憶部３１の履歴保存部３１３に保存する保存処理を行う。
【００３６】
また、例えば、アプリケーション実行部３２は、メモ帳アプリケーション３１２の起動指示が入力された場合、メモ帳アプリケーション３１２を起動させる。また、アプリケーション実行部３２は、メモ帳アプリケーション３１２の起動後においては、キーボード５やタッチペン（図示略）などの入力装置４からの入力情報に基づいてメモ帳アプリケーション３１２を実行し、入力に応じた表示を表示制御部３３を介してサブディスプレイ１０に表示させたり、作成された文書等を記憶部３１の履歴保存部３１４に保存する保存処理を行う。
【００３７】
表示制御部３３は、アプリケーション実行部３２からの指令に基づいてサブディスプレイ１０にアプリケーションに関する表示を行う。
【００３８】
例えば、表示制御部３３は、アプリケーション実行部３２によって電卓アプリケーション３１１が起動された場合に、電卓アプリケーション３１１のウィンドウをサブディスプレイ１０に表示する。
例えば、表示制御部３３は、図５に示すように、サブディスプレイ１０の表示領域の中で、タッチパッド６の近傍の領域に電卓アプリケーション３１１のウィンドウを表示させる。換言すると、表示制御部３３は、サブディスプレイ１０において、タッチパッド（テンキー）６が設けられている側、すなわち、サブディスプレイ１０の右側に電卓アプリケーション３１１のウィンドウ４０を表示させる。これにより、ユーザが数値入力を行うテンキーが配置されているタッチパッド６の近くに電卓アプリケーション３１１のウィンドウ４０が表示される。この結果、ウィンドウ４０がサブディスプレイ１０の反対側に表示される場合やメインディスプレイ８に表示される場合に比べて、ユーザの視線の移動距離を小さくすることができる。これにより、数値入力の利便性を向上させることができる。
【００３９】
電卓アプリケーションのウィンドウ４０は、図５に示すように、計算式や演算結果が表示される入力表示領域４１と、前回までの演算結果等が履歴情報として表示される履歴情報表示領域４２とを含んでいる。表示制御部３３は、アプリケーション実行部３２からの指令に基づいてサブディスプレイ１０の入力表示領域４１に計算式や演算結果を表示するとともに、履歴情報表示領域４２に演算結果等の履歴情報を表示する。
【００４０】
また、ウィンドウ４０における入力表示領域４１は、第１筐体２上においてタッチパッド６が配置されている位置の延長線上に表示されるとよい。これにより、更に、ユーザの視線の移動距離を小さくすることができる。例えば、図１に示すように、タッチパッド６が第１筐体２の右側部に配置されている場合、入力表示領域４１は、図５に示すように、履歴情報表示領域４２の右側に配置されるとよい。
【００４１】
また例えば、表示制御部３３は、アプリケーション実行部３２によってメモ帳アプリケーション３１２が起動された場合に、メモ帳アプリケーション３１２のウィンドウをサブディスプレイ１０に表示する。
例えば、表示制御部３３は、図８に示すように、サブディスプレイ１０の表示領域の中で、タッチパッド６の近傍の領域にメモ帳アプリケーション３１２のウィンドウを表示させる。換言すると、表示制御部３３は、サブディスプレイ１０において、タッチパッド（テンキー）６が設けられている側、すなわち、サブディスプレイ１０の右側にメモ帳アプリケーション３１２のウィンドウ４５を表示させる。
【００４２】
メモ帳アプリケーション３１２のウィンドウ４５は、図８に示すように、ユーザによる入力に応じた表示を行う入力表示領域４６と、過去に保存された文書等が履歴情報として表示される履歴情報表示領域４７とを含んでいる。表示制御部３３は、アプリケーション実行部３２からの指令に基づいてウィンドウ４５の入力表示領域４６にユーザによって入力された情報に応じた表示を行うとともに、履歴情報表示領域４７に過去に入力された文書等の履歴情報を表示する。
【００４３】
なお、サブディスプレイ１０における入力表示領域４６及び履歴情報表示領域４７の配置は図８に示された配置に限定されない。例えば、入力表示領域４６は、サブディスプレイ１０の中央部に配置され、その周辺、すなわち、右側及び左側に履歴情報表示領域４７が設けられていてもよい。
【００４４】
次に、本実施形態に係るノートＰＣ１によって実行される処理について説明する。以下の説明においては、まず、電卓アプリケーション３１１が起動された場合を例示して説明し、その後、メモ帳アプリケーション３１２が起動された場合を例示して説明する。
【００４５】
〔電卓アプリケーション〕
まず、電卓アプリケーション３１１の起動指示が入力された場合に、ノートＰＣ１によって実行される処理について説明する。
電卓アプリケーション３１１の起動指令は、例えば、ユーザがマウスなどの入力装置４を操作し、「電卓」のアイコンなどがダブルクリックされること等によって入力される。また、例えば、タッチパッド６がテンキーモードに切り替えられた場合に、自動的に「電卓」のアプリケーションの起動指令が入力されるようにしてもよい。これにより、数値計算に関するアプリケーションを容易に起動させることが可能となる。
【００４６】
まず、電卓アプリケーション３１１が起動されると、表示制御部３３は電卓アプリケーション３１１のウィンドウ４０をサブディスプレイ１０に表示させる（図５参照）。
【００４７】
続いて、タッチパッド６におけるテンキーから数値や演算記号等の入力がされると、アプリケーション実行部３２は入力された数値や演算記号を表示制御部３３に出力する。これにより、サブディスプレイ１０に表示されたウィンドウ４０の入力表示領域４１には、ユーザの入力に応じた計算式が表示されることとなる。そして、テンキーの「Ｅｎｔｅｒキー」等の所定のキーが操作されることにより演算実行の指示が入力されると、アプリケーション実行部３２は、入力された計算式に基づく計算を行い、計算結果を表示制御部３３を介してウィンドウ４０の入力表示領域４１に表示させるとともに、記憶部３１の履歴保存部３１３に格納する。
【００４８】
続いて、入力装置４から更に数値や演算記号の入力がされると、アプリケーション実行部３２は、入力された数値や演算記号等に基づく計算式をウィンドウ４０の入力表示領域４１に表示させるとともに、記憶部３１の履歴保存部３１３に記憶した前回の演算結果を表示制御部３３を介してウィンドウ４０の履歴情報表示領域４２に表示させる。
【００４９】
そして、ユーザによって複数の計算式の入力と演算実行の指示とが繰り返し行われることにより、図６に示すように、ウィンドウ４０の入力表示領域４１には現在入力されている計算式が整列して表示されるとともに、履歴情報表示領域４２には今までの計算結果の履歴が表示されることとなる。なお、履歴情報表示領域４２には、計算結果だけでなく、その計算結果を得るために入力された計算式を共に表示することとしてもよい。
【００５０】
ここで、計算結果は最新のもののみを表示する態様の他、過去の複数の計算結果を履歴情報として表示することとしてもよい。また、複数の計算結果を履歴情報として表示する場合には、例えば、古い計算結果ほど入力表示領域４１から遠ざかる方向、換言すると、第１筐体２においてタッチパッド６が配置されている側から反対の方向（すなわち、図６においては、矢印Ａで示したようにサブディスプレイ１０において右側から左側の方向）に向けて配置することとしてもよい。また、古い計算結果ほど、サブディスプレイ１０において、第２筐体３側に配置されることとしてもよい。また、これらの組み合わせによって、複数行列で計算結果を履歴情報として表示することとしてもよい。
このように配置することで、最新の計算結果をサブディスプレイ１０における入力表示領域４１に近い場所に表示させることが可能となる。この結果、履歴情報を再利用しやすい配置とすることができ、利便性を向上させることができる。
【００５１】
なお、過去の計算結果の表示態様については、上述した例に限定されず、例えば、ユーザが適宜設定可能な構成とされていてもよい。また、履歴情報として表示する計算結果の数に応じてウィンドウ４０及び履歴情報表示領域４２は拡大／縮小が可能とされていてもよい。また、計算結果はスクロールが可能なように表示されてもよい。
【００５２】
そして、ユーザがマウスを操作することにより、あるいは、指でサブディスプレイ１０をタッチすることにより、入力装置４から履歴情報表示領域４２に表示されているいずれかの計算結果の履歴を選択する入力操作がなされた場合には、アプリケーション実行部３２は、選択された計算結果を入力情報として電卓アプリケーション３１１に反映させる。例えば、図６に示したウィンドウ４０において、ユーザによって「６５３」が選択された場合、アプリケーション実行部３２は、選択された「６５３」を入力表示領域４１に表示されている計算式に変数として入力する。これにより、例えば、図７に示すように、「６５３」が計算式に変数として入力されることなる。
【００５３】
このように、履歴情報表示領域４２に履歴情報として表示されているいずれかの計算結果を選択する入力がなされた場合には、選択された計算結果が入力表示領域４１に表示されている計算式に変数として入力されるので、過去の計算結果を入力情報として容易に再利用することができる。
【００５４】
そして、入力装置４から電卓アプリケーション３１１を終了する旨の入力がなされた場合には、アプリケーション実行部３２は電卓アプリケーション３１１を終了する。これにより、サブディスプレイ１０に表示されていたウィンドウ４０は消え、また、記憶部３１の履歴保存部３１３に格納されていた演算結果は消去されることとなる。
【００５５】
〔メモ帳アプリケーション〕
次に、メモ帳アプリケーション３１２の起動指示が入力された場合に、ノートＰＣ１によって実行される処理について説明する。
メモ帳アプリケーション３１２の起動指令は、例えば、ユーザがマウスなどの入力装置４を操作し、「メモ帳」のアイコンなどがダブルクリックされること等によって入力される。
【００５６】
まず、メモ帳アプリケーション３１２が起動されると、表示制御部３３はメモ帳アプリケーションのウィンドウ４５をサブディスプレイ１０に表示させる。これにより、サブディスプレイ１０には、図８に示したようなウィンドウ４５が表示される。
【００５７】
続いて、キーボード５やタッチペン等の入力装置４から入力がされると、アプリケーション実行部３２は表示制御部３３を介して入力表示領域４６に入力情報に応じた表示を行わせる。これにより、サブディスプレイ１０の入力表示領域４６には、ユーザの入力に応じた文字列、記号、描画等の表示が行われる。
【００５８】
アプリケーション実行部３２は、タッチペンやキーボード５等の入力装置４から保存指示が入力された場合には、入力表示領域４６に表示されている情報を記憶部３１の履歴保存部３１４に保存する保存処理を行う。また、アプリケーション実行部３２は、保存した情報を履歴情報として履歴情報表示領域４７に表示させる。図９は、履歴情報４８ａ、４８ｂが履歴情報表示領域４７に表示されている場合のサブディスプレイ１０の表示例を示した図である。
このように、ユーザによって保存指示が入力される度に、入力表示領域４６に表示されている情報が履歴情報としてサブディスプレイ１０の履歴情報表示領域４７に整列して表示されるので、ユーザは自身が入力した情報の履歴を容易に確認することが可能となる。
【００５９】
ここで、履歴情報は最新のもののみを表示する態様の他、過去の複数の文書等を履歴情報として表示することとしてもよい。また、履歴情報表示領域４７に表示された各履歴情報は、マウス等がユーザによって操作されることにより、あるいは、ユーザが指でサブディスプレイ１０をタッチして入力操作を行うことにより、表示位置が変更可能な構成としてもよい。これにより、ユーザは利用頻度の高い文書等を自身が利用しやすい位置に移動させることができ、利便性を向上させることができる。
【００６０】
なお、過去の文書等の表示態様については、上述した例に限定されず、例えば、ユーザが適宜設定可能な構成とされていてもよい。また、履歴情報として表示する文書等の数に応じてウィンドウ４５及び履歴情報表示領域４７は拡大／縮小が可能とされていてもよい。また、履歴情報はスクロールが可能なように表示されてもよい。
【００６１】
そして、ユーザがマウスを操作することにより、あるいは、指でサブディスプレイ１０をタッチすることにより、入力装置４から履歴情報表示領域４７に表示されているいずれかの履歴情報４８ａ、４８ｂを選択する入力操作がなされた場合には、アプリケーション実行部３２は、選択された履歴情報を入力情報として入力表示領域４６に表示されている作成中の文書に反映させる。例えば、図９に示したウィンドウ４５において、ユーザによって履歴情報４８ｂが選択された場合、アプリケーション実行部３２は、選択された履歴情報４８ｂを入力表示領域４６に表示されている作成中の文書に入力情報として追加する。これにより、例えば、図１０に示すように、履歴情報４８ｂが入力情報として入力されることなる。
【００６２】
このように、履歴情報表示領域４７に表示されているいずれかの履歴情報を選択する入力がなされた場合には、選択された履歴情報が入力表示領域４６に表示されている作成中の文書に入力情報として入力されるので、過去に入力した文字列、記号、描画等を入力情報として容易に再利用することができる。
【００６３】
そして、入力装置４からメモ帳アプリケーション３１２を終了する旨の入力がなされた場合には、アプリケーション実行部３２はメモ帳アプリケーション３１２を終了する。これにより、サブディスプレイ１０に表示されていたウィンドウ４５は非表示とされる。
【００６４】
以上、説明してきたように、本実施形態に係るノートＰＣ１によれば、アプリケーションの実行中に得た情報を履歴情報としてサブディスプレイ１０に表示させるので、ユーザは実行中のアプリケーションにおいて過去に得た情報を容易に確認することができる。
例えば、数値計算に関するアプリケーションの実行中に得られた過去の計算結果や、文書作成アプリケーションの実行中に得られた文書等を履歴情報としてサブディスプレイ１０に表示させるので、ユーザは過去の履歴情報を容易に確認することができる。
【００６５】
また、本実施形態に係るノートＰＣ１によれば、サブディスプレイ１０に表示された一または複数の履歴情報のうちのいずれかが選択された場合に、選択された履歴情報を入力情報として実行中のアプリケーションに反映させる。これにより、アプリケーションの実行中に得た情報を入力情報として容易に再利用することが可能となる。
【００６６】
例えば、数値計算に関するアプリケーションの実行中において、サブディスプレイ１０に履歴情報として表示されている過去の計算結果が選択された場合に、選択された過去の計算結果を計算式に変数として反映させるので、過去の計算結果を容易に計算式に再利用することができる。これにより、利便性をより高めることが可能となる。
【００６７】
また、文書作成アプリケーションの実行中において、サブディスプレイ１０に履歴情報として表示されている過去に作成されたいずれかの文書情報が選択された場合に、選択された文書情報を入力情報として作成中の文書に反映させるので、過去に作成した文書等を入力情報として容易に再利用することができる。
【００６８】
なお、本実施形態においては、ウィンドウ４０、４５の領域内に履歴情報を表示させる履歴情報表示領域４２、４７を設けていたが、この例に限定されない。例えば、履歴情報は、ウィンドウ４０、４５の外に表示させることとしてもよい。この場合、ウィンドウ４０、４５に関する電卓アプリケーション３１１やメモ帳アプリケーション３１２と、サブディスプレイ１０の表示管理を行うアプリケーションとの間で履歴情報等の種々の情報の授受を行えばよい。
【００６９】
また、各アプリケーションのウィンドウ４０、４５及び履歴情報は、サブディスプレイ１０でなく、メインディスプレイ８に表示されることとしてもよい。また、アプリケーションのウィンドウ４０、４５における入力表示領域４１、４６についてはメインディスプレイ８に表示し、履歴情報表示領域４２、４７をサブディスプレイ１０に表示させることとしてもよいし、これとは逆に、アプリケーションのウィンドウ４０、４５における入力表示領域４１、４６をサブディスプレイ１０に表示し、履歴情報表示領域４２、４７をメインディスプレイ８に表示することとしてもよい。
【００７０】
さらに、本実施形態では、メインディスプレイ８とサブディスプレイ１０の２つのディスプレイを備えている場合について例示したが、この例に限定されず、ディスプレイは１つであってもよい。すなわち、必ずしも２つ以上のディスプレイを備えている必要はない。
【００７１】
また、本実施形態における、キーボード５やタッチパッド６の機能や配置も一例であり、他の態様とされていてもよい。例えば、本実施形態では、タッチパッド６がテンキーの機能を有する場合について説明したが、この例に限定されず、タッチパッド６とは別に数字を入力するためのキーが第１筐体２に設けられていてもよい。例えば、物理的なテンキーが第１筐体２に設けられていてもよいし、ソフトウェアキーとしてテンキーが第１筐体２に表示されることとしてもよい。
【００７２】
以上、本発明についての各形態について説明したが、本発明の技術的範囲は上記態様の範囲には限定されない。発明の要旨を逸脱しない範囲で多様な組み合わせ、変更、又は改良を加えることができ、該組み合わせ、変更、又は改良を加えた形態も本発明の技術的範囲に含まれる。
【符号の説明】
【００７３】
１      ：ノートＰＣ
２      ：第１筐体
３      ：第２筐体
４      ：入力装置
５      ：キーボード
６      ：タッチパッド
８      ：メインディスプレイ
９ａ    ：連結部
９ｂ    ：連結部
１０    ：サブディスプレイ
１１    ：収容部
２０    ：ＣＰＵ
２１    ：ＲＯＭ
２２    ：メモリ
２３    ：フラッシュメモリ
２４    ：グラフィクスアダプタ
２５    ：通信デバイス
２６    ：電源回路
２８    ：バス
３１    ：記憶部
３２    ：アプリケーション実行部
３３    ：表示制御部
４０    ：ウィンドウ
４１    ：入力表示領域
４２    ：履歴情報表示領域
４５    ：ウィンドウ
４６    ：入力表示領域
４７    ：履歴情報表示領域
４８ａ  ：履歴情報
４８ｂ  ：履歴情報
３１１  ：電卓アプリケーション
３１２  ：メモ帳アプリケーション
３１３  ：履歴保存部
３１４  ：履歴保存部
【図１】
2020140472.tif 000003
【図２】
2020140472.tif 000004
【図３】
2020140472.tif 000005
【図４】
2020140472.tif 000006
【図５】
2020140472.tif 000007
【図６】
2020140472.tif 000008
【図７】
2020140472.tif 000009
【図８】
2020140472.tif 000010
【図９】
2020140472.tif 000011
【図１０】
2020140472.tif 000012
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
第１筐体と第２筐体とを備え、前記第１筐体に対して前記第２筐体が開閉可能に連結された情報処理装置であって、
前記第２筐体に設けられたメインディスプレイと、
前記第１筐体において前記第２筐体の端部側に沿って設けられたサブディスプレイと、
アプリケーションの実行中において、ユーザの入力に応じた情報を表示する入力表示領域を前記メインディスプレイに表示するとともに、前記メインディスプレイに表示した情報の履歴情報を前記サブディスプレイに表示する表示制御部と
を具備する情報処理装置。
【請求項２】
前記アプリケーションは文書作成に関するアプリケーションであり、
前記表示制御部は、前記アプリケーションの実行中に作成された文章の履歴情報を前記サブディスプレイに表示する請求項１に記載の情報処理装置。
【請求項３】
前記アプリケーションの実行中に保存指示が入力された場合に、作成した前記文章を保存するための履歴保存部を備え、前記表示制御部は、保存された前記文章を前記履歴情報として前記サブディスプレイに表示する請求項２に記載の情報処理装置。
【請求項４】
前記履歴保存部には、複数の前記文章が前記履歴情報として保存され、
前記表示制御部は、前記履歴保存部に保存されている複数の前記文章を前記履歴情報として整列させて前記サブディスプレイに表示する請求項３に記載の情報処理装置。
【請求項５】
前記表示制御部は、前記サブディスプレイに表示された履歴情報が選択された場合に、選択された前記履歴情報の内容を前記メインディスプレイの入力表示領域に表示されている作成中の文書に入力情報として反映させる請求項２から４のいずれかに記載の情報処理装置。
【請求項６】
前記サブディスプレイに表示された履歴情報が選択された場合に、選択された前記履歴情報を入力情報として実行中の前記アプリケーションに反映させる請求項１から４のいずれかに記載の情報処理装置。
【請求項７】
前記アプリケーションは数値計算に関するアプリケーションであり、
前記表示制御部は、前記数値計算に関するアプリケーションの実行中に得られた過去の計算結果を前記履歴情報として前記サブディスプレイに表示する請求項１に記載の情報処理装置。
【請求項８】
前記サブディスプレイに履歴情報として表示された過去の計算結果が選択された場合に、選択された前記過去の計算結果を前記メインディスプレイの前記入力表示領域に表示されている計算式に変数として反映させる請求項７に記載の情報処理装置。
【請求項９】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置の制御方法であって、
アプリケーションの実行中において、ユーザの入力に応じた情報を表示する入力表示領域を前記メインディスプレイに表示するとともに、前記メインディスプレイに表示した情報の履歴情報を前記サブディスプレイに表示する情報処理装置の制御方法。
【請求項１０】
第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置に適用されるプログラムであって、
アプリケーションの実行中において、ユーザの入力に応じた情報を表示する入力表示領域を前記メインディスプレイに表示するとともに、前記メインディスプレイに表示した情報の履歴情報を前記サブディスプレイに表示する処理をコンピュータに実行させるためのプログラム。
【手続補正２】
【補正対象書類名】明細書
【補正対象項目名】０００５
【補正方法】変更
【補正の内容】
【０００５】
本発明の第一態様は、第１筐体と第２筐体とを備え、前記第１筐体に対して前記第２筐体が開閉可能に連結された情報処理装置であって、前記第２筐体に設けられたメインディスプレイと、前記第１筐体において前記第２筐体の端部側に沿って設けられたサブディスプレイと、アプリケーションの実行中において、ユーザの入力に応じた情報を表示する入力表示領域を前記メインディスプレイに表示するとともに、前記メインディスプレイに表示した情報の履歴情報を前記サブディスプレイに表示する表示制御部とを具備する情報処理装置である。
【手続補正３】
【補正対象書類名】明細書
【補正対象項目名】０００６
【補正方法】変更
【補正の内容】
【０００６】
本発明の参考例としての他の態様は、ディスプレイと、アプリケーションの実行中に得た情報を履歴情報として前記ディスプレイに表示する表示制御部とを備え、複数の前記履歴情報のうちのいずれかが選択された場合に、選択された前記履歴情報を入力情報として実行中の前記アプリケーションに反映させる情報処理装置である。
【手続補正４】
【補正対象書類名】明細書
【補正対象項目名】０００７
【補正方法】変更
【補正の内容】
【０００７】
本発明の第二態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置の制御方法であって、アプリケーションの実行中において、ユーザの入力に応じた情報を表示する入力表示領域を前記メインディスプレイに表示するとともに、前記メインディスプレイに表示した情報の履歴情報を前記サブディスプレイに表示する情報処理装置の制御方法である。
【手続補正５】
【補正対象書類名】明細書
【補正対象項目名】０００８
【補正方法】変更
【補正の内容】
【０００８】
本発明の参考例としての他の態様は、アプリケーションの実行中に得た情報を履歴情報としてディスプレイに表示する工程と、複数の前記履歴情報のうちのいずれかが選択された場合に、選択された前記履歴情報を入力情報として実行中の前記アプリケーションに反映させる工程とをコンピュータが実行する情報処理装置の制御方法である。
【手続補正６】
【補正対象書類名】明細書
【補正対象項目名】０００９
【補正方法】変更
【補正の内容】
【０００９】
本発明の第三態様は、第１筐体と、前記第１筐体に対して開閉可能に連結された第２筐体と、前記第２筐体に設けられたメインディスプレイと、前記第１筐体において前記第２筐体の端部側に沿って設けられたサブディスプレイとを備える情報処理装置に適用されるプログラムであって、アプリケーションの実行中において、ユーザの入力に応じた情報を表示する入力表示領域を前記メインディスプレイに表示するとともに、前記メインディスプレイに表示した情報の履歴情報を前記サブディスプレイに表示する処理をコンピュータに実行させるためのプログラムである。
【手続補正７】
【補正対象書類名】明細書
【補正対象項目名】００１０
【補正方法】変更
【補正の内容】
【００１０】
本発明の参考例としての他の態様は、アプリケーションの実行中に得た情報を履歴情報としてディスプレイに表示する処理と、複数の前記履歴情報のうちのいずれかが選択された場合に、選択された前記履歴情報を入力情報として実行中の前記アプリケーションに反映させる処理とをコンピュータに実行させるためのプログラムである。